(57)【要約】【課題】従来の草取り具では、植木や花及び作物等の根元廻りの狭い場所等では、これ等の茎や根を傷つけるため使用困難であった。又、腰痛者にあっては、腰を曲げての草取り作業は負担が大きく困難であった。  本発明は、狭い場所でも草取りが可能で且つ腰痛防止を考慮した、小型草取り具を提供する。【解決手段】把持部をＬ字に折り曲げた金属棒の一端に設け、他端に、鋼板製で刃面を有する掻き取り部を設けた草取り具を小型化したことを特徴とする小型草取り具。【選択図】図１
2017136057.tif 000002
【特許請求の範囲】
【請求項１】
（イ）把持部（１）に取り付けられた金属棒（２）の先端を折り曲げ、
（ロ）折り曲げ部（７）に掻き取り部（３）を固定し、
（ハ）掻き取り部（３）は上刃（４）と刃先（５）そして下刃（６）から成り、
（ニ）上刃（４）と下刃（６）の仰角（α）を約３０度にて成形すると共に、掻き取り部（３）の刃先部分を内側へ半径（Ｒ）約１２０ｍｍにて湾曲させ、掻き取り効果を高めるため、下刃（６）を把持部（１）側へすくい角（β）を約１５度にて傾け、刃先（５）にて局所的に掻き取りができるよう、下刃（６）の先端にＲ加工を施す、
以上のように構成された小型草取り具。
【発明の詳細な説明】
【技術分野】
【０００１】本発明は、腰痛防止を考慮した草取り具で、植木や花及び作物等の根元廻りの狭い場所等に生える草を取り除く際に用いる、小型草取り具に関するものである。
【背景技術】
【０００２】従来、草取り具としては、草掻きや特許文献１に示されている鎌状のもの等が用いられている。
【先行技術文献】
【特許文献】
【０００３】
【特許文献１】登録実用新案  第３０４４８１５号公報
【発明の概要】
【発明が解決しようとする課題】
【０００４】従来、草取り具としては、草掻きや鎌状のものが用いられているが、前者は地面を削りながら草を取り、後者は鎌を地面に突き刺して草を掘り起しながら取る構造であるため、植木や花及び作物等の根元廻りの狭い場所等では、茎や根を傷付けることから使用困難であった。又、腰痛者にあっては、腰を曲げての草取り作業は負担が大きく、作業が困難である等の問題があった。本発明は、以上の問題を解決するものである。
【課題を解決するための手段】
【０００５】（イ）把持部（１）に取り付けられた金属棒（２）の先端を折り曲げ、
（ロ）折り曲げ部（７）に掻き取り部（３）を固定し、
（ハ）掻き取り部（３）は上刃（４）と刃先（５）そして下刃（６）から成り、
（ニ）上刃（４）と下刃（６）の仰角（α）を約３０度にて成形すると共に、掻き取り部（３）の刃先部分を内側へ半径（Ｒ）約１２０ｍｍにて湾曲させ、掻き取り効果を高めるため、下刃（６）を把持部（１）側へすくい角（β）を約１５度にて傾け、刃先（５）にて局所的に掻き取りができるよう、下刃（６）の先端にＲ加工を施す、
以上のように構成された小型草取り具。
【発明の効果】
【０００６】  本発明は、把持部をＬ字に折り曲げた金属棒の一端に設け、他端に、鋼板製で刃面を有する掻き取り部を設けた草取り具を小型化したことにより、地面に刃先を軽く刺し込むことができ、草の根を少し浮き上がらせた後、刃先のＲ加工部や、下刃を使って草を掻き取ることにより、植木や花及び作物等の根元廻りの狭い場所等でも、茎や根を傷付けることなく草取りができる。又、手で草を引き抜く場合であっても、右手で草取り具を保持したまま、親指と人差指で草を掴んで引き抜くことができることから、地面に左手を突いて体重を支えることが可能となり、腰への負担が軽減できる。この時、膝をつくことにより腰への負担は更に軽減される。
【図面の簡単な説明】
【０００７】
【図１】本発明の斜視図である。
【図２】本発明の掻き取り部の平面図である。
【図３】本発明の正面図である。
【図４】本発明の掻き取り部の詳細である。
【発明を実施するための形態】
【０００８】  以下に本発明を実施するための形態を説明する。
（イ）本発明の草取り具は、把持部（１）、金属棒（２）及び掻き取り部（３）から成り、全長約２００ｍｍ、刃幅約６０ｍｍ程度まで小型化することにより、狭い場所でも草取りを可能にすると共に、地面に左手を突くことで腰への負担が軽減できる。
（ロ）把持部（１）は、木材の他、滑り難い素材を使用し、中指、薬指及び小指の３本にて該把持部（１）を持ち、親指及び人差指にて草を掴むことができるよう、先端を球面加工する。又、中央部（８）は中指、薬指及び小指の３本にて把持し易い形状に成形すると共に、末端の角をＲ加工する。
（ハ）金属棒（２）は、一端に把持部（１）を嵌合にて固定すると共に、掻き取り部（３）近傍に於いて、曲げ角（γ）を約８０度にて折り曲げ、面取り加工した先端に、掻き取り部（３）を溶接にて固定する。
（ニ）掻き取り部（３）は薄い鋼板製とし、上刃（４）、刃先（５）及び下刃（６）から成る。又、地面に軽い力で刺すことができるよう、上刃（４）と下刃（６）の仰角（α）を約３０度にて成形すると共に、掻き取り部（３）の刃先部分を内側へ半径（Ｒ）約１２０ｍｍにて湾曲させる。更に、掻き取り効果を高めるため、下刃（６）を把持部（１）側へすくい角（β）を約１５度にて傾ける。又、刃先（５）にて局所的に掻き取りができるよう、下刃（６）の先端にＲ加工を施す。
【０００９】  本発明を使用するときは、先ず、把持部（１）先端の球面加工部に親指と人差指を掛け、残り３本の指で把持部（１）を持つ。次に、掻き取り部（３）にて草取りをする場合、根の深い草では、刃先（５）を草の根元に刺して根を少し浮かせた後、刃先（５）のＲ加工部や下刃（６）を用いて、草の根元を掻き取りながら引き抜く。根の浅い草では、下刃（６）を用いて、草の根元を掻き取りながら引き抜く。最後に、手で草を引き抜く場合は、右手の中指、薬指、小指の３本で把持部（１）を持ちながら、親指と人差指で草を掴んで引き抜く。このように本発明の草取り具は、右手のみで草取りができる構造故に、地面に左手を突いて、体重を支えながら草取りが可能となり、腰への負担を軽減することができる。
【実施例】
【００１０】  本発明の具体的な実施例を図１に基づいて説明する。把持部（１）は、木材その他の滑り難い素材を用いて、直接手が触れる先端の角部は球面加工を行う。金属棒（２）は、草取り時に於ける把持部（１）挿入箇所の廻り止め対策として、鉄鋼製の角材を用い、腐食防止のための塗装を行う。本金属棒（２）は、一端に把持部（１）を嵌合にて固定し、掻き取り部（３）近傍に於いて曲げ角（γ）を約８０度にて折り曲げ、その先端に掻き取り部（３）を溶接にて固定する。掻き取り部（３）は、薄い鋼板を用いて鳥のくちばしのような先端が尖った形状で、上刃（４）、刃先（５）及び下刃（６）を備え、夫々の刃は、刃先（５）を地面に刺し易くするため鋭利に仕上げる。下刃（６）は、刃先（５）をＲ加工し、地面に刺して浮かせた草を一本ずつ掻き取り易くする。掻き取り部（３）は、軽い力で地面への刺し込みができるよう、刃先部分を内側に湾曲させると共に、掻き取り効果を高めるため、下刃（６）を把持部（３）側へすくい角（β）を約１５度にて傾斜させる。以上の構成により、当該小型草取り具は、右手のみで草取り作業が可能となり、地面に左手を突いて体重を支えながら草取りができるため、腰への負担が軽減できる。
【符号の説明】
【００１１】１  把持部
２  金属棒
３  掻き取り部
４  上刃
５  刃先
６  下刃
７  折り曲り部
８  中央部
【図１】
2017136057.tif 000003
【図２】
2017136057.tif 000004
【図３】
2017136057.tif 000005
【図４】
2017136057.tif 000006